(57)【特許請求の範囲】
【請求項１】
外側筒状体及び当該外側筒状体の軸方向の一端部に連続し且つ当該外側筒状体と反対側に開口が形成された外側ヘッドを有する外管と、
当該外管の内側に当該外管と同軸に配置され、内側筒状体及び当該内側筒状体の上記軸方向の一端部に連続し且つ上記外側ヘッドの開  口の内側となる位置に開口が形成された内側ヘッドを有する内管と、
上記外側ヘッドの開口側の端部に着脱されることによって、上記外側ヘッドの開口及び上記内側ヘッドの開口を開閉させる蓋と、
上記内側ヘッドに設けられており、上記内側筒状体及び上記内側ヘッドを連通させるバルブ孔が形成された内バルブ座を有する内管一方向バルブと、
上記外側ヘッドの開口側に設けられた環状の整流リング及び当該整流リングの内側に配置され、中央に上記内側ヘッドの開口と連通する貫通孔が形成された外バルブリング片を有する外バルブとを備え、
上記内側ヘッドは、上記バルブ孔を開閉させる内バルブ片を備え、
上記内側ヘッドの開口外側と上記外側ヘッドの開口内側との間に、環状の外出液口が形成されており、
上記外バルブリング片の外周の一部が上記整流リングと繋がり且つ当該外周のうちその余の部分において上記整流リングとの間に隙間が形成されており、
上記外バルブリング片は、上記外側ヘッド及び上記内側ヘッドの開口側の端部と当接して上記環状の外出液口を開閉させるチューブ容器。
【請求項２】
上記内側ヘッド及び上記内管一方向バルブは、樹脂により一体的に成形されており、
当該内側ヘッド及び内管一方向バルブは、上記内側筒状体に溶接されている請求項１に記載のチューブ容器。
【請求項３】
上記外側ヘッドの開口側端部と、上記外バルブと、上記環状の外出液口とによって、一方向バルブが形成されている請求項１または２に記載のチューブ容器。
【請求項４】
上記整流リングに、内側に突出した凸リブが形成されており、
当該凸リブは、上記外側ヘッドの開口側の外壁に形成された外環状溝と嵌合している請求項１から３のいずれかに記載のチューブ容器。
【請求項５】
上記内側ヘッドの外壁に、上記軸方向に延びた流路溝が形成され且つ当該流路溝以外の位置において外側に突出した環状リブが形成されており、
当該環状リブは、上記外側ヘッドの内壁に形成された内環状溝と嵌合している請求項１から４のいずれかに記載のチューブ容器。
【請求項６】
上記外管は、上記外側筒状体と上記外側ヘッドとが溶接されることによって成形されたものである請求項１から５のいずれかに記載のチューブ容器。
【請求項７】
上記蓋は、
蓋本体と、当該蓋本体から上記外管へ向けて上記軸方向に延びた連接カバーとを備え、
当該連接カバーの内壁に、内ネジ山又は内凸リブが設けられており、
上記外側ヘッドの外壁に、上記内ネジ山と螺合可能な外ネジ山又は上記内凸リブと嵌合可能な環状溝が設けられている請求項１から６のいずれかに記載のチューブ容器。
【請求項８】
上記内側筒状体及び上記外側筒状体の横断面の外形は、円形、楕円形、または多辺形である請求項１から７のいずれかに記載のチューブ容器。
【請求項９】
上記内側筒状体及び上記外側筒状体の材質は、樹脂、金属、又は樹脂及び金属の複合材料である請求項１から８のいずれかに記載のチューブ容器。
【発明の詳細な説明】
【技術分野】
【０００１】
本発明は、液体、のり状産品等を内容物とする容器に関する。特に、一定比率の２種類の内容物が分けて収容されており、開閉バルブの開閉を通じて当該２種類の内容物の流出を許容又は阻止するチューブ容器の構造に関する。
【背景技術】
【０００２】
医薬品、化粧品、毛染め、はみがき粉、医療用軟膏その他の糊状又は液状の物品は、軟質の管状の容器に収容されることが多い。この容器が両側から挟むように押圧されることによって、容器内の内容物が押し出される。従来、このような容器の典型は、１つの容器に１つの収容室と１つの口部のみを有するチューブ容器であった。したがって、従来から化粧品、日焼け止め乳液、口紅、及び毛染め等、内容物の種類に応じて多種類のチューブ容器が使用されており、チューブ容器の製造コストが増加すると共に、使用、携帯にも不便であった。
【０００３】
そのため、近年、異なる内容物を収容した外管及び当該外管の内部に配置された内管を有し、これら外管及び内管のそれぞれの収容室と連通した１つの口部を備え、この口部から２種類の内容物を同時に押し出し可能な２連式吐出器が提案されている（特許文献１）。
【先行技術文献】
【特許文献】
【０００４】
【特許文献１】特開２００７−１３７４６７号公報
【発明の概要】
【発明が解決しようとする課題】
【０００５】
しかしながら、特許文献１に開示されたような２連式吐出器は、複雑な形状からなる多数の部品から構成されている。その結果、２連式吐出器の構成が複雑となり、２連式吐出器の製造コストが高くなる。また、２連式吐出器において、内容物が絞り出される際に発生する弾性圧力によって、上記口部の近傍にある内容物が管内に吸引されて混合されるおそれがあり、もし内容物が混合されると、内管と外管とに分けられて収容された内容物が汚染変質するおそれがある。
【０００６】
この発明は、かかる背景のもとになされたものであって、その目的は、二つの管内に収容された内容物が逆流して混合することにより当該内容物が汚染変質することを防止したチューブ容器を提供することである。
【課題を解決するための手段】
【０００７】
(1) 本発明に係るチューブ容器は、外側筒状体及び当該外側筒状体の軸方向の一端部に連続し且つ当該外側筒状体と反対側に開口が形成された外側ヘッドを有する外管と、当該外管の内側に当該外管と同軸に配置され、内側筒状体及び当該内側筒状体の上記軸方向の一端部に連続し且つ上記外側ヘッドの開口の内側となる位置に開口が形成された内側ヘッドを有する内管と、上記外側ヘッドの開口側の端部に着脱されることによって、上記外側ヘッドの開口及び上記内側ヘッドの開口を開閉させる蓋と、上記内側ヘッドに設けられており、上記内側筒状体及び上記内側ヘッドを連通させるバルブ孔が形成された内バルブ座及び上記バルブ孔を開閉させる内バルブ片を有する内管一方向バルブと、上記外側ヘッドの開口側に設けられた環状の整流リング及び当該整流リングの内側に配置され、中央に上記内側ヘッドの開口と連通する貫通孔が形成された外バルブリング片を有する外バルブとを備える。上記内側ヘッドの開口外側と上記外側ヘッドの開口内側との間に、環状の外出液口が形成されている。上記外バルブリング片の外周の一部が上記整流リングと繋がり且つ当該外周のうちその余の部分において上記整流リングとの間に隙間が形成されている。上記外バルブリング片は、上記外側ヘッド及び上記内側ヘッドの開口側の端部と当接して上記環状の外出液口を開閉させる。
【０００８】
本構成によれば、内管一方向バルブ及び外バルブの開閉によって、外管及び内管にそれぞれ充填された２種類の内容物の流出入が許容され、又は阻止される。これにより、２種類の内容物が逆流して、管内の内容物の汚染が回避される。
【０００９】
(2) 上記内側ヘッドと上記内管一方向バルブとは、樹脂によって一体成形されており、一体成形された上記内側ヘッドと上記内管一方向バルブとは、上記内側筒状体に溶接されているのが好ましい。
【００１０】
(3) 上記外側ヘッドの開口側端部と、上記外バルブと、上記環状の外出液口とによって、一方向バルブが形成されているのが好ましい。
【００１１】
(4) 上記整流リングには、内側に突出した凸リブが形成されており、上記凸リブは、上記外側ヘッドの開口側の外壁に形成された外環状溝と嵌合しているのが好ましい。
【００１２】
(5) 上記内側ヘッドの外壁には、上記軸方向に延びた流路溝が形成され、且つ当該流路溝以外の位置において外側に突出した環状リブとが形成されており、上記環状リブは、上記外側ヘッドの内壁に形成された内環状溝と嵌合しているのが好ましい。
【００１３】
(6) 上記外管は、上記外側筒状体と上記外側ヘッドとが溶接されることによって成形されたものであるのが好ましい。
【００１４】
(7) 上記蓋は、蓋本体と、当該蓋本体から上記外管へ向けて上記軸方向に延びた連接カバーとを備え、上記連接カバーの内壁には、内ネジまたは内凸リブが設けられており、上記外側ヘッドの外壁には、上記内ネジと螺合可能な外ネジ、または、上記内凸リブと嵌合可能な環状溝が設けられているのが好ましい。
【００１５】
(8) 上記内側筒状体及び上記外側筒状体の横断面の外形は、円形、楕円形、または多辺形であるのが好ましい。
【００１６】
(9) 上記内側筒状体及び上記外側筒状体の材質は、樹脂、金属、または樹脂及び金属の複合材料であるのが好ましい。
【発明の効果】
【００１７】
この発明によれば、管内に混合物が逆流して管内の内容物が汚染されることが防止される。
【図面の簡単な説明】
【００１８】
【図１】図１は、本発明の実施形態に係るチューブ容器の分解斜視図である。
【図２】図２は、外バルブ４の拡大図である。
【図３】図３は、チューブ容器の平面図である。
【図４】図４は、図３のＩＶ−ＩＶ断面図である。
【図５】図５は、蓋５が取り外された状態で且つ内容物が絞り出されていない状態のチューブ容器の断面図である。
【図６】図６は、内容物が絞り出されている状態のチューブ容器の断面図である。
【発明を実施するための形態】
【００１９】
以下、本発明の好ましい実施形態が、適宜図面が参照されながら説明される。なお、本実施の形態は、本発明に係るチューブ容器の一態様にすぎず、本発明の要旨を変更しない範囲で実施態様が変更されてもよいことは言うまでもない。
【００２０】
図１〜図６には、本実施形態のチューブ容器が主に備える外管１、内管２、内管一方向バルブ３、外バルブ４、及び蓋５などが示されている。
【００２１】
図１及び図４に示されるように、外管１は、外側筒状体１０と、外側ヘッド１１とを備えている。外側ヘッド１１は、基部１１１と、基部１１１から上向きに延びる管突出部１１２とを備えている。なお、本実施形態では、上下方向が本発明の軸方向に相当する。管突出部１１２の内壁に、少なくとも１個の内環状溝１１２１が設けられている。管突出部１１２の外壁に、外ネジ山１１２３が設けられている。管突出部１１２の出口端の外壁に、１個の外環状溝１１２２が設けられている。
【００２２】
図１及び図４に示されるように、内管２は、内側筒状体２０と、内側ヘッド２１とを備えている。内側ヘッド２１は、内基部２１１と、内基部２１１上に設けられた中空の装着部２１２と、装着部２１２から延びる内管突出部２１３とを備えている。装着部２１２の外壁に、少なくとも１個の環状リブ２１２１が設けられている。装着部２１２の外壁に、外管１の内部に通じる二条の流路溝２１２２が、縦方向に、間隔を空けて対称に設けられている。
【００２３】
内管２は、外管１の内側に配置されている。環状リブ２１２１が外側ヘッド１１の内環状溝１１２１に嵌め込まれることによって、装着部２１２が外側ヘッド１１の管突出部１１２の内側に締め付けられる。これにより、図４に示されるように、内管突出部２１３の上端外壁と外側ヘッド１１の管突出部１１２の出口内側との間に、環状の外出液口１１２０が形成される。
【００２４】
図１及び図４に示されるように、内管一方向バルブ３は、内側ヘッド２１の内管突出部２１３の下側開口の端部に設けられている。内管一方向バルブ３は、内管２の内容物の流出の制御に用いられる。内管一方向バルブ３は、バルブ孔３１１を有するバルブ座３１（特許請求の範囲に記載された「内バルブ座」に相当）と、バルブ座３１の周縁から上へ向かって延びたカバー３２と、バルブ孔３１１を覆う１個の内バルブ片２１３１とを備えている。内バルブ片２１３１は、内管突出部２１３の下側開口から横方向に延びている。カバー３２の内壁に、溝３２１が設けられている。一方、内管突出部２１３の下側開口端の外壁には、１個の環状凸リブ２１３２が設けられている。環状凸リブ２１３２が溝３２１に嵌っている。これにより、バルブ座３１が内管突出部２１３の下側開口の端部に嵌っている。
【００２５】
図１、図２及び図４に示されるように、外バルブ４は、１個の整流リング４１と、中央に貫通孔４２１が形成された外バルブリング片４２とを備えている。外バルブリング片４２は、整流リング４１の内側に位置している。整流リング４１の内壁は、１個の狭い連接部４３を通じて、外バルブリング片４２の外壁と繋がっている。連接部４３を除く整流リング４１の内壁と外バルブリング片４２の外壁との間に、均等の隙間４２２が形成されている。整流リング４１の下側開口の内側に、凸リブ４１１が設けられている。
【００２６】
外バルブ４は、外側ヘッド１１の管突出部１１２の出口端部に装着されている。凸リブ４１１は、管突出部１１２の外環状溝１１２２に嵌っている。外バルブリング片４２は、管突出部１１２の上端及び内管突出部２１３の上端と当接することによって、外出液口１１２０を上方から覆っている。これにより、外バルブリング片４２は、外管１の内容物の流出を制御する。一方、外バルブリング片４２の貫通孔４２１と内管突出部２１３の出口とは、終始連通されている。
【００２７】
図１、図３及び図４に示されるように、蓋５は、蓋本体５３と、蓋本体５３の下面の周縁から下方に延びる外壁５２と、蓋本体５３の下面の周縁よりも内側から下方に延びる連接カバー５１とを備えている。連接カバー５１の内壁に内ネジ５１１が設けられている。内ネジ５１１は、管突出部１１２の外壁に設けられた外ネジ１１２３と螺合可能である。内ネジ５１１と外ネジ１１２３とが螺合することによって蓋５が外管１に固定される。蓋５が外管１に固定された状態において、外バルブ４の上端部４１２に、蓋５の下面が当接する。連接カバー５１の外壁には、補強リブ５１３が縦向きに設けられている。これにより、連接カバー５１の強度が増加している。
【００２８】
なお、蓋５の連接カバー５１の内壁に、内ネジ５１１の代わりに内凸リブ（不図示）が設けられており、管突出部１１２の外壁に、外ネジ１１２３の代わりに環状溝が設けられていてもよい。そして、内凸リブが環状溝と嵌合することによって、蓋５が外管１に対して装着され、上記嵌合が解除されることによって、蓋５が外管１から脱抜されてもよい。
【００２９】
外側ヘッド１１の管突出部１１２の出口端部及び外バルブ部品４の外バルブリング片４２は、外出液口１１２０を覆っており、１個の一方向外バルブを構成している。
【００３０】
内側ヘッド２１と内バルブ片２１３１とは、プラスチック材料などの樹脂で一体成形される。この成形時に、内側筒状体２０が溶接される。外管１は、外側筒状体１０と外側ヘッド１１とが溶接されたものである。内管２は、外管１の内側に同軸で配置され、チューブ容器が構成される。
【００３１】
外管１の外側筒状体１０及び内管２の内側筒状体２０の材質には、樹脂材料、金属材料、或いは樹脂材料と金属材料との複合材料が選択されている。例えば、外側筒状体１０及び内側筒状体２０は、ＰＥ管、ＰＰ管、Ｃｏ−ｅｘ管、ＥＶＯＨ複合管、アルミ管、ラミネート管、Ｐｏｌｙｔｏｉｌ管等で構成されている。外側筒状体１０及び内側筒状体２０には、それぞれ異なる内容物が詰め込まれてもよい。内側筒状体２０及び外側筒状体１０の横断面の外形は、円形、楕円形、多辺形等である。
【００３２】
チューブ容器の組み立て後、外管１及び内管２の後ろ（下方）から２種類の内容物が別々に充填される。その後、外管１及び内管２の後ろが封止される。２種類の内容物は、のり状又は液状であり、口紅、軟膏、毛染め等である。
【００３３】
図５に示されるように、チューブ容器の不使用時、外バルブ４の外バルブリング片４２は、外出液口１１２０を覆っている。これにより、外管１内の第１種内容物の流出が阻止される。また、内バルブ片２１３１が内バルブ座３１のバルブ孔３１１を覆うことによって、内管一方向バルブ３が、内管突出部２１３の下側開口の端部を閉じる。これにより、内管２内の第２種内容物の流出が阻止される。
【００３４】
図６に示されるように、チューブ容器の使用時、蓋５が開けられて、外側筒状体１０、内側筒状体２０が手で押圧されると、外管１内の第１種内容物が、流路溝２１２２を経て、外出液口１１２０から外バルブリング片４２を押して流出する。
【００３５】
同時に、内管２内の第２種内容物が、バルブ孔３１１を通って、内バルブ片２１３１を押し開ける。これにより、第２種内容物は、内管突出部２１３に進入し、内管突出部２１３の出口を経て、外バルブリング片４２上の貫通孔４２１から流出する。その結果、第２種内容物は、外管１から流出した第１種内容物と混ざって、その後、チューブ容器の外部へ流出される。
【００３６】
押圧が停止されると、内管２の負圧が内管一方向バルブ３の内バルブ片２１３１に加わる。これにより、内バルブ片２１３１が閉まるため、２種類の内容物の逆流が防止される。その結果、混合内容物が逆流して内管２及び外管１の内容物が汚染される現象が回避される。
【００３７】
［実施形態の効果］
【００３８】
この実施形態によれば、内管一方向バルブ３及び外バルブ４の開閉によって、外管１及び内管２にそれぞれ充填された２種類の内容物の流れが許容され、あるいは阻止される。これにより、２種類の内容物の逆流が防止され、内容物の混合、汚染が回避される。
【符号の説明】
【００３９】
１：      外管
１０：    外側筒状体
１１：    外側ヘッド
１１１：  基部
１１２：  管突出部
１１２１：内環状溝
１１２２：外環状溝
１１２３：外ネジ
１１２０：環状外出液口
２：      内管
２０：    内側筒状体
２１：    内側ヘッド
２１１：  内基部
２１２：  装着部
２１２１：環状リブ
２１２２：流路溝
２１３：  内管突出部
２１３１：内バルブ片
２１３２：環状凸リブ
３：      内管一方向バルブ
３１：    内バルブ座
３１１：  バルブ孔
３２：    カバー
３２１：  溝
４：      外バルブ
４１：    整流リング
４１１：  凸リブ
４１２：  上端部
４２：    外バルブリング片
４２１：  貫通穴
４２２：  隙間
４３：    連接部
５：      蓋
５１：    連接管（連接カバー）
５１１：  内ネジ
５１３：  補強リブ
５２：    外壁
５３：    蓋本体
【図１】
0005972306.tif 000002
【図２】
0005972306.tif 000003
【図３】
0005972306.tif 000004
【図４】
0005972306.tif 000005
【図５】
0005972306.tif 000006
【図６】
0005972306.tif 000007